(57)【要約】      （修正有）【課題】根掛かりしにくく、根掛かりしそうになっても外れやすく、取り扱いが簡単な釣り針を提供する。【解決手段】釣り針１０は、線状の胴部１１と、その両端に設けられる針先部１２及び１３と、胴部１１の中間に設けられ、釣り糸に連結するために、貫通孔１５が設けられた連結部１４と、を備える。胴部１１は、両端が、連結部１４を挟んで、それぞれ針先部１２及び１３に向けて直線的に延びる構成となっている。【選択図】図１
0003227013.tif 000002
【実用新案登録請求の範囲】
【請求項１】
線状の胴部と、その両端に設けられる針先部と、前記胴部の中間に設けられ、釣り糸に繋ぐ部材を連結するための連結部と、を備えることを特徴とする釣り針。
【請求項２】
請求項１に記載の釣り針において、
前記胴部は、両端が、連結部を挟んで、それぞれ針先部に向けて直線的に延びていることを特徴とする釣り針。
【請求項３】
請求項２に記載の釣り針において、
前記連結部は、胴部の中央から一端側によった位置に設けられていることを特徴とする釣り針。
【請求項４】
請求項２及び３のいずれか１項に記載の釣り針において、
前記胴部は、連結部を挟んで一端側が他端側に対して角度をなすように延びていること
を特徴とする釣り針。
【請求項５】
請求項１、２、３及び４のいずれか１項に記載の釣り針において、
前記胴部に、フィンを設けたことを特徴とする釣り針。
【考案の詳細な説明】
【技術分野】
【０００１】
本考案は、釣り針に関し、特に、これまでの概念を変えた形態を有する釣り針に関する。
【背景技術】
【０００２】
従来の釣り針は、例えば、特許文献１に記載された従来例に示すように、針先と、針先側で湾曲する先曲げと、腰曲がりと、胴と、ハリスを連結するチモトとを有し、全体として、Ｊ字型で深く湾曲する形状となっている。また、先端には、魚の口に引っかけた際に抜けにくくするための、かえしが設けられている。
【０００３】
従来の釣り針は、Ｊ字形状であるため、根掛かりしやすいという欠点がある。根掛かりした場合に、外すことが困難であるため、釣り糸を切断して、釣り針、ルアー、錘などを水中に残置せざるを得ないことが多々ある。
【０００４】
また、かえしがあるため、釣り上げた後、針を抜き取る際に、苦労することがある。
【先行技術文献】
【特許文献】
【０００５】
【特許文献１】特開2017-108731号公報
【特許文献２】特開2018-161111号公報
【考案の概要】
【考案が解決しようとする課題】
【０００６】
これらの問題点に対しては、釣り針自体の構造的改良、付属部材取り付け等、さまざまな改良が試みられている（例えば、特許文献２）。しかし、構造が複雑化し、高価になるという、解決を要するという問題的状況に置かれている。
【０００７】
本考案は、根掛かりしにくく、根掛かりしそうになっても外れやすく、取り扱いが簡単な釣り針を提供することを目的とする。
【課題を解決するための手段】
【０００８】
本考案によれば、線状の胴部と、その両端に設けられる針先部と、前記胴部の中間に設けられ、釣り糸に繋ぐ部材を連結するための連結部と、を備える釣り針が提供される。
【０００９】
本考案の釣り針において、胴部は、両端が、連結部を挟んで、それぞれ針先部に向けて直線的に延びる構成とすることができる。
【００１０】
また、連結部は、胴部の中央に設ける場合の他、中央から一端側に寄せた位置に設けることができる。
【００１１】
さらに、連結部が中央にある場合、一端側によった場合のいずれにおいても、胴部は、連結部を挟んで一端側が他端側に対して角度をなすように延びる構成とすることができる。
【００１２】
このほか、上述したいずれかの形態において、胴部に、フィンを設ける構造とすることができる。また、いずれの形態においても、連結部は、貫通孔を有する形状とすることができる。
【考案の効果】
【００１３】
本考案によれば、直線的な形状であることから、根掛かりしにくいという効果がある。仮に、根掛かりしそうな状態となっても、針先が容易に外れ、釣り糸の切断による釣り針等を残置せざるを得ない事態を減少することができる。
【００１４】
また、構造が単純であることから、魚体からの取り外しが容易であり、安価に製造することができる。
【図面の簡単な説明】
【００１５】
【図１】図１は、本考案の第１実施形態に係る釣り針の外観を示す正面図。
【図２】図２は、本考案の第２実施形態に係る釣り針の外観を示す正面図。
【図３】図３は、本考案の第３実施形態に係る釣り針の外観を示す正面図。
【図４】図４は、本考案の第４実施形態に係る釣り針の外観を示す正面図。
【図５】図５は、本考案の第５実施形態に係る釣り針の外観を示す正面図。
【図６】図６は、本考案の第６実施形態に係る釣り針の外観を示す斜視図。
【図７】図７は、本考案の釣り針の使用例を示す説明図。
【図８】図８は、本考案の釣り針に根掛かりが生じる状況を示す説明図。
【図９】図９は、本考案の釣り針が根掛かり状態から外れる状況を示す説明図。
【図１０】図１０は、本考案の釣り針が魚に食いつかれる直前状態を示す説明図。
【図１１】図１１は、本考案の釣り針が魚に食いつかれた状態を示す説明図。
【図１２】図１２は、本考案の釣り針が魚の口の中で顎に引っかかる状態を示す説明図。
【考案を実施するための形態】
【００１６】
本考案の各実施形態は、いずれも、これまでの釣り針のような湾曲部を持たない構造となっている。以下、本考案の各実施形態について図面を参照して説明する。
【００１７】
第１の実施形態について図１を参照して説明する。図１に示すように、第１の実施形態の釣り針１０は、線状の胴部１１と、その両端に設けられる針先部１２及び１３と、胴部１１の中間に設けられ、釣り糸に繋ぐ部材、例えば、ハリスを連結するための連結部１４と、を備える。
【００１８】
胴部１１は、両端が、連結部１４を挟んで、それぞれ針先部１２及び１３に向けて直線的に延びる構成となっている。すなわち、これまでの釣り針とは異なり、湾曲しておらず、直線的に延びる構造となっている。胴部１１は、連結部１４を含めて、鉄、鋼、ステンレス等の金属材料を線状にプレスして形成することができる。
【００１９】
胴部１１の先端側を針状に尖らせて針先部１２及び１３が形成されている。針先部１２及び１３には、一般的な釣り針が有するかえしが設けられていない。そのため、魚体に引っかかりにくく、魚体を傷つけにくい。
【００２０】
連結部１４には、貫通孔１５が設けてある。これにより、ハリスなどの部材を固着することができる。なお、貫通孔１５に代えて、Ｔ型突起等とすることもできる。本実施形態では、連結部１４は、胴部１１の中央に位置する。すなわち、この連結部１４を中心として、針先部１２側及び針先部１３側に胴部１１がそれぞれ等しい長さで延びる構造となる。
【００２１】
本考案の第２実施形態について、図２を参照して説明する。本実施形態の釣り針１０は、胴部１１と、針先部１２及び１３と、連結部１４と、を備え、基本的な構造において、第１の実施形態と共通する。例えば、以下に述べる各実施形態及び使用例について第１の実施形態と同様に適用可能である。ここでは、共通する点に関する説明を省略し、相違点を中心にして述べる。
【００２２】
第２実施形態の釣り針１０は、線状部材を折り曲げ加工により、中央部で１回捻って両端を直線状に延ばして形成したものである。捻った箇所の内面側が貫通孔１５となり、連結部１４を構成している。両端を尖端として針先部１２及び１３を形成している。
【００２３】
本考案の第３実施形態について、図３を参照して説明する。本実施形態の釣り針１０は、連結部１４を、胴部１１の中央位置から一端側に寄せた位置に設けたものである。図３に示す例では、針先部１２側に連結部１４を寄せている。寄せる比率は、（ａ：ｂ）として適宜決める。例えば、（４：６）とする。
【００２４】
本考案の第４実施形態について、図４を参照して説明する。本実施形態においては、胴部１１が、連結部１４を挟んで、一端側（図４では針先部１２側）部分１１ａが他端側（針先部１３側）部分１１ｂに対して角度をなすように延びる構成とする例である。具体的には、一端側部分１１ａが、他端側部分１１ｂの延長線と角θをなすように折れ線状に形成する。このθは、例えば、０〜１０度とする。０度の場合は、これまでの実施形態と同じとなる直線的に延びる場合である。このような構成とすることにより、釣り針１０の見かけ上の長さを短くすることができる。
【００２５】
この折り曲げ態様は、上述した全ての実施形態に適用することができる。例えば、連結部１４が中央にある場合、一端側に寄った場合のいずれの場合にも適用することができる。
【００２６】
本考案の第５実施形態について、図５を参照して説明する。本実施形態の釣り針１０では、胴部１１にフィン１６を設ける。フィン１６を設けることにより、水流に対して針を安定させることに貢献することが期待できる。フィン１６は、胴部１１の周りに複数個設けてもよい。また、胴部１１の長手方向の複数箇所に１または２以上設ける構成としてもよい。
【００２７】
本考案の第６実施形態について、図６を参照して説明する。本実施形態の釣り針は、上述した各実施形態の釣り針を２連装したものである。図６に示す例では、上述した第１実施形態の釣り針１０を連結部１４において連結部材１７により連結している。
【００２８】
連結部材１７には、連結環１８を設け、連結環１８にハリス１９を取り付ける。連結環１８は、連結部材１７に固定する構成としてもよく、また、連結部材１７の軸方向に変位可能に連結する構成としてもよい。
【００２９】
連結部材１７として、変形しにくい部材を用い、連結部１４において胴部１１と固定することにより、ハリス１９で引かれる際、水中で図に示すＨ型を保たせることができる。一方、連結部材１７の端部で、連結部１４において胴部１１を回動自在に連結することとすれば、２連の胴部１１，１１がそれぞれ自由に揺らぐことができるようになる。
【００３０】
なお、連結部材１７として、ハリスのような糸状の部材を用いることも可能である。釣り針１０を３連装以上の多連装としてもよい。
【００３１】
次に、本考案の釣り針の使用例について、図７から図１２を参照して説明する。以下の例では、第１実施形態の釣り針１０を用いる場合を例とするが、他の実施形態に示した釣り針を用いることもできる。
【００３２】
図７に示すように、釣り針１０の連結部１４に、ハリス１９の一端を連結し、ハリス１９の他端をルアー２０の尾側端に連結する。このルアーの頭側端を釣り糸２１と連結する。このほか、図示していない錘を必要に応じて取り付ける。この状態で、ルアー２０及び釣り針１０を水中に投じて、釣り糸２１をたぐることによって釣りを行う。
【００３３】
ここで、釣り針の一端が海底の石などに引っかかるような根掛かりが生じる状況となったとする。例えば、図８に示すように、釣り針１０の針先部１２が、海底３０に存在する岩、埋設物、例えば、石３１等に引っかかったとする。
【００３４】
一般的な釣り針の場合、この状況から針の根掛かりを外すことは容易ではない。しかし、本実施形態の釣り針１０の場合には、中間部にある連結部１４に、ハリス１９を介してかかる釣り糸２１からの引く力により、針先部１２を中心として図８に示す矢印Ｘ方向に働く回転モーメントが生じる。これにより、図９に示すように、針先部１２が石３１から外れる。従って、釣り糸の切断による釣り針等の残置せざるを得ないことを減少することができる。
【００３５】
次に、本実施形態の釣り針により釣りを行う場合について説明する。ここでは、魚４０が、図１０に示すルアー２０を追って、釣り針１０に食いつこうとした場合を例として説明する。
【００３６】
本実施形態の釣り針１０は、湾曲していない直線的であるため、図１１に示すように、魚４０の口４１に入り込みやすい。ここで、釣り針の針先部１２が魚４０の口４１内部のいずれかの箇所に引っかかると、ハリス１９に力が加わった際、図１２に示すように、釣り針１０の胴部１１が立ち上がるような状態となって、口４１から外れにくくなる。これによって、魚４０を釣り上げることができるようになる。釣り上げた後には、針先部１２，１３には、かえしが無いため、魚４０の口４１から釣り針１０を簡単に外すことができる。また、この際、魚の口付近を傷つけにくい。
【００３７】
以上説明した釣り動作は、本考案の各実施形態のいずれもが同様に行うことができる。
【００３８】
本考案の釣り針は、趣味による釣りのみならず、漁師による釣りにも広く利用することができる。
【符号の説明】
【００３９】
１０…釣り針
１１…胴部
１２…針先部
１３…針先部
１４…連結部
１５…貫通孔
１６…フィン
１７…連結部材
１８…連結環
１９…ハリス
２０…ルアー
２１…釣り糸
３０…海底
３１…石
４０…魚
４１…口
【図１】
0003227013.tif 000003
【図２】
0003227013.tif 000004
【図３】
0003227013.tif 000005
【図４】
0003227013.tif 000006
【図５】
0003227013.tif 000007
【図６】
0003227013.tif 000008
【図７】
0003227013.tif 000009
【図８】
0003227013.tif 000010
【図９】
0003227013.tif 000011
【図１０】
0003227013.tif 000012
【図１１】
0003227013.tif 000013
【図１２】
0003227013.tif 000014
【手続補正書】
【提出日】令和2年4月7日(2020.4.7)
【手続補正１】
【補正対象書類名】実用新案登録請求の範囲
【補正対象項目名】全文
【補正方法】変更
【補正の内容】
【実用新案登録請求の範囲】
【請求項１】
線状の胴部と、その両端に設けられる針先部と、前記胴部の中間に設けられ、釣り糸に連結するために、貫通孔又はＴ型突起が設けられた連結部と、を備えることを特徴とする釣り針。
【請求項２】
請求項１に記載の釣り針において、
前記胴部は、両端が、連結部を挟んで、それぞれ針先部に向けて直線的に延びていることを特徴とする釣り針。
【請求項３】
請求項２に記載の釣り針において、
前記連結部は、胴部の中央から一端側によった位置に設けられていることを特徴とする釣り針。
【請求項４】
請求項２及び３のいずれか１項に記載の釣り針において、
前記胴部は、連結部を挟んで一端側が他端側に対して角度をなすように延びていること
を特徴とする釣り針。
【請求項５】
請求項１、２、３及び４のいずれか１項に記載の釣り針において、
前記胴部に、フィンを設けたことを特徴とする釣り針。